(57)【特許請求の範囲】
【請求項１】
建物の軸組に玄関扉または勝手口扉を設けるための開口部を有する出入枠において、該出入枠の横桟を、前記軸組の室内側に取付けるための取付け金具であって、上端が前記軸組に固定され、下端に前記出入枠の横桟を載せて固定するための載置片を有する本体と、該本体の長さ方向両端側から前記載置片と反対方向に直角に折り曲げて設けられた突出片とからなることを特徴とする出入枠取付け金具。
【発明の詳細な説明】
【０００１】
【発明の属する技術分野】
本発明は、建物の軸組の室内側に取付けられる金属製内壁枠のうち、前記軸組に玄関扉または勝手口扉を設けるための開口部を有する出入枠の横桟を前記軸組に取付ける際に用いる出入枠取付け金具に関する。
【０００２】
【従来の技術】
金属製内壁枠自体が新しい構成であるため、該金属製内壁枠のうち、建物の軸組に玄関扉または勝手口扉を設けるための開口部を有する出入枠を前記軸組に取付ける手順に関して好適な従来の技術は存在しなかった。
【発明が解決しようとする課題】
本発明は、建物の軸組の室内側に取付けられる金属製内壁枠のうち、前記軸組に玄関扉または勝手口扉を取付けるために開口部を要する出入枠を好適に前記軸組に取付けることができるようにするための出入枠取付け金具を提供することを目的とするものである。
【０００３】
【課題を解決するための手段】
請求項１に記載の出入枠取付け金具は、建物の軸組に玄関扉または勝手口扉を設けるための開口部を有する出入枠において、該出入枠の横桟を、前記軸組の室内側に取付けるための取付け金具であって、上端が前記軸組に固定され、下端に前記出入枠の横桟を載せて固定するための載置片を有する本体と、該本体の長さ方向両端側から前記載置片と反対方向に直角に折り曲げて設けられた突出片とからなることを特徴とするものである。
【０００４】
【発明の実施の形態】
本発明の実施形態に係る出入枠取付け金具１は、図１、図２および図３に示すように、建物の軸組１９の室内側に取付けられる金属製内壁枠のうち、前記軸組１９に玄関扉または勝手口扉を取付けるために開口部１３を有する出入枠７の横桟１１を前記軸組１９に好適に取付けるためのものである。
以下、前記出入枠取付け金具１について図面に基づいて説明する。
【０００５】
出入枠取付け金具１は、図１に示すように、全体が金属製の薄板からなり、上端が建物の軸組１９に固定される本体２と、該本体２の下端に出入枠７の横桟１１を載せて固定するための載置片３を有し、前記本体２の長さ方向両端側から前記載置片３と反対方向に直角に折り曲げて設けられた突出片４とを備えている。前記本体２の上端に取付け孔５を有し、ビス等の固定具により建物の軸組１９に取付ける構造としている。
【０００６】
前記本体２は、外形が略長方形の平板形状であり、その長さが、出入枠７の横枠９と横桟１１までの長さと略等しく形成されており、その上端には前記取付け孔５を有している。
【０００７】
前記載置片３は、前記本体２の下端に、前記本体２と直角をなすように形成され、その長さは、前記出入枠７を前記軸組１９に取付けた際に前記出入枠７の横桟１１の室内側面から前記載置片３の室内側端縁がはみ出ない程度とし、また前記載置片３に載置した前記出入枠７の横桟１１を、前記出入枠取付け金具１に取付けるための取付け孔６を備えている。
【０００８】
前記突出片４は、前記本体２の長さ方向両端側に部分的に形成された幅広部分を前記載置片３と反対向きに直角に折り曲げて形成されている。このように、長さ方向に前記突出片４を設けたことにより、前記出入枠取付け金具１に、前記出入枠７を取付けた際に前記本体２が変形するのを防いでいる。
【０００９】
前述した出入枠７は、図２に示すように、垂直部材である縦枠８と水平部材である横枠９とによって外形が略門形となるように形成された金属製の枠体１０と、該枠体１０で囲まれた内側において前記横枠９に対して、該横枠９から所定の間隔を隔てて平行に設けられた横桟１１と、前記縦枠８と前記横枠９と前記横桟１１とで外形が略長方形となるように形成された開口部上部枠１２と、該開口部上部枠１２の下部において縦枠８と横桟１１とによって形成された開口部１３と、前記開口部上部枠１２の内側において前記縦枠８に対して平行にかつ複数設けられた縦桟１４と、前記開口部上部枠１２と縦桟１４とにより囲まれた内部に設けられた内部断熱材１５と、前記開口部上部枠１２の裏側に設けられた裏面断熱材１６と、前記開口部上部枠１２の前記裏面断熱材１６の反対側面全体を覆うように貼り付けられた防湿シート１７とを有して構成されている。
【００１０】
このとき、前記枠体１０の外形寸法は、図３に示すように、前記出入枠７が取付けられる玄関土間部１８から軸組１９の水平部材２０までの高さ、および軸組１９の垂直部材２１の配置間隔におおよそ合致するように形成されている。
【００１１】
前記内部断熱材１５は、袋体内にグラスウール、ロックウール等の断熱材料が収容されて構成されたものであり、その外形は、前記開口部上部枠１２および縦桟１４により囲まれた空間と略同一形状の略長方形となるように形成されている。その取付けは、前記開口部上部枠１２および縦桟１４により囲まれた内部に嵌め込まれるとともに、前記裏面断熱材１６および防湿シート１７により両側から挟まれることによりおこなわれる。
【００１２】
前記裏面断熱材１６は、前記内部断熱材１５と同様に、袋体内にグラスウール、ロックウール等の断熱材料が収容されて構成されたものであり、その外形は、前記開口部上部枠１２の外形と略同一形状の略長方形となるように形成されている。その取付けは、前記裏面断熱材１６を前記開口部上部枠１２の裏側に重ねあわせるように配置し、その室外側面に図外のプラスチック板等の当て板を介して、図外の釘やステープル等の固定具を打ち込んで前記開口部上部枠１２または縦桟１４に固定することによりおこなわれる。
【００１３】
また、前記防湿シート１７は、薄いポリエチレンシートなどで構成されたものであり、その外形は、前記開口部上部枠１２の外形と略同一形状の略長方形となるように形成されている。その取付けは、前記防湿シート１７を前記開口部上部枠１２に固定されている裏面断熱材１６の反対側面に両面テープ等により貼付けられることによりおこなわれる。
【００１４】
つぎに、出入枠取付け金具１を用いた前記出入枠７の前記軸組１９への取付け手順について説明する。
【００１５】
図４に示すように、あらかじめ前記軸組１９の水平部材２０の中央部分に、前記出入枠取付け金具１を本体２の上端が前記水平部材２０の上面と大略そろうように、すなわち前記出入枠７を取付けた際に該出入枠７の横桟１１が前記出入枠取付け金具１の載置片３に載置されるように、前記本体２の取付け孔５にビス等の固定具２４を挿通し、前記水平部材２０に取付ける。
【００１６】
また、このとき、突出片４の軸組側端縁は、図４および図５に示すように、前記軸組１９の水平部材２０と垂直部材２１とで囲まれた内側において、玄関扉または勝手口扉等の建具を取付けるために設けられたドア用壁軸組２６の室内側面に沿うように取付けられる。
このように、前記突出片４の軸組側端縁が前記ドア用壁軸組２６の室内側面に沿っているので、前記出入枠取付け金具１に前記出入枠７を取付けた際に、前記出入枠７の室外側面に取付けられた裏面断熱材１６の反発力により、前記出入枠取付け金具１の本体２が変形するのを防いでいる。
【００１７】
つぎに、軸組１９に取付けた上部固定金具２２に前記出入枠７の横枠９の両端を嵌め込むとともに、前記出入枠７の横桟１１を前記出入枠取付け金具１の載置片３に載置するようにして前記出入枠７を前記軸組１９の室内側に設置する。このとき前記出入枠取付け金具１の載置片３は、図６および図７に示すように、前記出入枠７の横桟１１からはみ出ないようにしておく。
【００１８】
そして、ビス等の固定具２４を前記載置片３に設けられている取付け孔６に下方から挿通し、前記出入枠７を前記出入枠取付け金具１を介して前記軸組１９に取付ける。このとき、前記取付け孔６は、前記出入枠７の横桟１１の幅方向中央部分に前記ビス等の固定具２４が取付けられるように、裏面断熱材１６の幅を考慮して前記載置片３の中央部分より室内側に設けられている。
これによって、前記載置片３の室内側端縁が前記開口部上部枠の室内側面よりはみ出ることはなく、前記出入枠７の室内側面に不陸をおこさずに石膏ボード２７を取付けることができる。
【００１９】
以上のようにして、前記軸組１９に前記出入枠７を取付け、図３に示すように、中央固定金具２３により隣接する金属製内壁枠２５と固定した後、図示しない釘やビス等の固定具を前記石膏ボード２７の室内側面から打ち込み、またはねじ込んで、前記石膏ボード２７を前記出入枠７の枠体１０および縦桟１４に固定し、図６および図７に示すように、前記出入枠７の室内側面に取付ける。そして、前記ドア用壁軸組２６に玄関扉または勝手口扉等の建具を取付ける。
【００２０】
【発明の効果】
以上の説明からも明らかなように、この発明の出入枠取付け金具は、上端が建物の軸組に固定され、下端に前記出入枠の横桟を載せて固定するための載置片を有する本体と、該本体の長さ方向両端側から前記載置片と反対方向に直角に折り曲げて設けられた突出片とから形成されているので、前記軸組に出入枠の横桟を取付ける場合において、前記載置片に出入枠の横桟を取付けることにより、前記軸組に玄関扉や勝手口扉を設けるために開口部を要する出入枠の横桟を前記軸組に取付けるので、好適に、かつ容易に前記軸組に前記出入枠を取付けることができるという利点がある。
【図面の簡単な説明】
【図１】本発明の実施形態に係る出入枠取付け金具を示す斜視図
【図２】出入枠を示す一部破断斜視図
【図３】出入枠の取付け構造を示す一部破断斜視図
【図４】図３のＡ部拡大図
【図５】図４のＢ−Ｂ部拡大断面図
【図６】出入枠を出入枠取付け金具に取付けた状態を示す図４のＢ−Ｂ部拡大断面図
【図７】図６を矢印Ｃからみた底面図
【符号の説明】
１  出入枠取付け金具
２  本体
３  載置片
４  突出片
７  出入枠
１１  横桟
１３  開口部
１９  軸組
【図１】
0003847033.tif 000002
【図２】
0003847033.tif 000003
【図３】
0003847033.tif 000004
【図４】
0003847033.tif 000005
【図５】
0003847033.tif 000006
【図６】
0003847033.tif 000007
【図７】
0003847033.tif 000008